(57)【要約】【課題】表面に貼付されたシールおよびテープを剥離するときに剥がれ残りが発生するのを抑制することができる通い箱を提供することである。【解決手段】通い箱１に貼付されるシール１００Ａ、１００Ｂおよびテープ１０１に対して再剥離性を有する塗膜１０が表面に積層されている、通い箱１である。塗膜１０が、天板２の表面の少なくとも一部に積層されている。また、塗膜１０が、側板３の表面の少なくとも一部に積層されている。通い箱１は、プラスチック製であるのがよい。また、通い箱１は、医療機器用であるのがよい。【選択図】図１
0003203623.tif 000002
【実用新案登録請求の範囲】
【請求項１】
通い箱に貼付されるシールおよびテープに対して再剥離性を有する塗膜が表面に積層されている、通い箱。
【請求項２】
前記塗膜は、前記シールおよび前記テープに対する１８０°剥離強度が２〜５Ｎ／ｉｎｃｈである、請求項１に記載の通い箱。
【請求項３】
前記塗膜が、天板の表面の少なくとも一部に積層されている、請求項１または２に記載の通い箱。
【請求項４】
前記塗膜が、天板の全表面に積層されている、請求項１〜３のいずれかに記載の通い箱。
【請求項５】
前記塗膜が、側板の表面の少なくとも一部に積層されている、請求項１〜４のいずれかに記載の通い箱。
【請求項６】
前記塗膜が、側板の全表面に積層されている、請求項１〜５のいずれかに記載の通い箱。
【請求項７】
前記シールおよび前記テープが、アクリル系粘着剤層を備える、請求項１〜６のいずれかに記載の通い箱。
【請求項８】
プラスチック製である、請求項１〜７のいずれかに記載の通い箱。
【請求項９】
医療機器用である、請求項１〜８のいずれかに記載の通い箱。
【考案の詳細な説明】
【技術分野】
【０００１】
本考案は、通い箱に関する。
【背景技術】
【０００２】
通い箱（通函）の表面には、荷物を運搬するため、運送会社の送り状やガムテープなどが貼付される。このようなシールおよびテープは、荷物を受け取ったときに剥離されるが、そのときに剥がれ残りが発生しやすく、剥離作業に手間および時間がかかるという問題があった。
【０００３】
上述した問題を解決するため、通い箱の表面に再剥離処理を施すシール材が市販されている（例えば、非特許文献１参照）。
しかし、シール材による再剥離処理は、通い箱の表面にシール材を貼付する必要があるため、再剥離処理できる場所が通い箱の形状（大きさ、曲面など）に限定されやすく、再剥離処理に漏れ（死角）が発生しやすい。それゆえ、シール材で通い箱の表面に再剥離処理を施すと、再剥離処理した場所以外に送り状などが貼付されることが多く、送り状などを剥離するときに剥がれ残りが発生しやすい。
【先行技術文献】
【非特許文献】
【０００４】
【非特許文献１】“プラダンの通い箱”、［online］、株式会社ヤマコー、［平成２８年１月１８日検索］、インターネット＜URL:http://www.kayoibako.com/catalog/options.html＞
【考案の概要】
【考案が解決しようとする課題】
【０００５】
本考案の課題は、表面に貼付されたシールおよびテープを剥離するときに剥がれ残りが発生するのを抑制することができる通い箱を提供することである。
【課題を解決するための手段】
【０００６】
本考案者は、上記課題を解決すべく鋭意研究を重ねた結果、以下の構成からなる解決手段を見出し、本考案を完成するに至った。
（１）通い箱に貼付されるシールおよびテープに対して再剥離性を有する塗膜が表面に積層されている、通い箱。
（２）前記塗膜は、前記シールおよび前記テープに対する１８０°剥離強度が２〜５Ｎ／ｉｎｃｈである、前記（１）に記載の通い箱。
（３）前記塗膜が、天板の表面の少なくとも一部に積層されている、前記（１）または（２）に記載の通い箱。
（４）前記塗膜が、天板の全表面に積層されている、前記（１）〜（３）のいずれかに記載の通い箱。
（５）前記塗膜が、側板の表面の少なくとも一部に積層されている、前記（１）〜（４）のいずれかに記載の通い箱。
（６）前記塗膜が、側板の全表面に積層されている、前記（１）〜（５）のいずれかに記載の通い箱。
（７）前記シールおよび前記テープが、アクリル系粘着剤層を備える、前記（１）〜（６）のいずれかに記載の通い箱。
（８）プラスチック製である、前記（１）〜（７）のいずれかに記載の通い箱。
（９）医療機器用である、前記（１）〜（８）のいずれかに記載の通い箱。
【考案の効果】
【０００７】
本考案によれば、表面に貼付されたシールおよびテープを剥離するときに剥がれ残りが発生するのを抑制することができるという効果がある。
【図面の簡単な説明】
【０００８】
【図１】本考案の一実施形態に係る通い箱を示す概略説明図である。
【図２】図１に示す通い箱の表面を拡大して示す断面図であり、（ａ）は天板表面の概略断面説明図、（ｂ）は側板表面の概略断面説明図である。
【考案を実施するための形態】
【０００９】
以下、本考案の一実施形態に係る通い箱について、図１および図２を参照して詳細に説明する。
【００１０】
図１に示すように、本実施形態の通い箱１は、天板２、側板３および底板４を備えている。通い箱１の構成は、通い箱として機能する限り特に限定されるものではない。
【００１１】
本実施形態では、通い箱１に貼付されるシールとして、シール１００Ａが天板２に、シール１００Ｂが側板３にそれぞれ貼付されている。また、通い箱１に貼付されるテープとして、テープ１０１が天板２から側板３にわたって貼付されている。シール１００Ａ、１００Ｂおよびテープ１０１は、通い箱１に一度貼付された後に再剥離されるものである。シール１００Ａ、１００Ｂおよびテープ１０１は、アクリル系粘着剤層を備えているのがよい。シール１００Ａ、１００Ｂとしては、例えば、運送会社の送り状、ラベルなどが挙げられる。ラベルの表面には、例えば、「医療機器取り扱い注意」、「時間指定」などの情報が表示されていてもよい。テープ１０１としては、例えば、ガムテープ（クラフト、布）などが挙げられる。なお、シール１００Ａ、１００Ｂおよびテープ１０１は、例示したものに限定されるものではない。
【００１２】
ここで、通い箱１は、シール１００Ａ、１００Ｂおよびテープ１０１に対して再剥離性を有する塗膜１０が表面に積層されている。このような構成によれば、次のような効果が得られる。塗膜１０は、上述のとおり、シール１００Ａ、１００Ｂおよびテープ１０１に対して再剥離性を有することから、通い箱１の表面に再剥離処理を施すものとして機能する。また、塗膜１０は、塗装によって通い箱１の表面に積層されるものである。したがって、本実施形態によれば、再剥離処理できる場所が上述したシール材のように通い箱１の形状に限定されることがなく、それゆえ再剥離処理に漏れが発生するのを抑制することができる。その結果、再剥離処理した場所にシール１００Ａ、１００Ｂおよびテープ１０１が貼付されようになり、これらを剥離するときに剥がれ残りが発生するのを抑制することができ、剥離作業の手間および時間を低減することができる。
【００１３】
塗膜１０は、シール１００Ａ、１００Ｂおよびテープ１０１に対する１８０°剥離強度が２〜５Ｎ／ｉｎｃｈであるのが好ましく、３〜４Ｎ／ｉｎｃｈであるのがより好ましい。このような構成によれば、シール１００Ａ、１００Ｂおよびテープ１０１に対して塗膜１０が再剥離性を有するようになる。１８０°剥離強度は、１８０°剥離試験法による軟包装材のシール強さ（ＡＳＴＭ  Ｆ８８）に準拠して測定される値である。なお、塗膜１０の１８０°剥離強度は、上述した数値範囲に限定されるものではなく、シール１００Ａ、１００Ｂおよびテープ１０１の粘着力に応じて適宜変更することができる。
【００１４】
本実施形態では、図２（ａ）に示すように、通い箱１の表面である天板２の表面２１の全面（全表面）に、塗膜１０が積層されている。また、図２（ｂ）に示すように、通い箱１の表面である側板３の表面３１の全面（全表面）に、塗膜１０が積層されている。これらの構成によれば、再剥離処理に漏れが発生するのを抑制することができる。
【００１５】
塗膜１０を通い箱１の表面に積層するには、通い箱１の表面に塗料を塗装すればよい。塗料としては、例えば、ビーズ含有塗料などが挙げられる。ビーズ含有塗料は、市販のものを使用することができる。ビーズ含有塗料において、ビーズの構成材料としては、例えば、シリコンなどが挙げられるが、これに限定されるものではない。ビーズの粒径、含有量、分散状態などについても、特に限定されない。ビーズ含有塗料は、アクリル系樹脂を含有するのがよい。ビーズ含有塗料は、塗膜１０を着色するうえで、顔料を含有していてもよい。なお、塗料は、塗膜１０を通い箱１の表面に積層できる限りビーズ含有塗料に限定されるものではない。
【００１６】
塗膜１０の厚さとしては、３０〜５０μｍであるのが好ましいが、これに限定されるものではない。
【００１７】
通い箱１は、プラスチック製であるのがよい。このような構成によれば、繰り返しの使用に対して高い耐久性を発揮することができる。プラスチックとしては、例えば、ポリエチレン樹脂、ポリプロピレン樹脂、ＡＢＳ樹脂（アクリロニトリル−ブタジエン−スチレン共重合体樹脂）、ポリカーボネート樹脂などが挙げられる。なお、通い箱１は、プラスチック製に限定されるものではない。
【００１８】
上述した通い箱１は、医療機器用として好適に使用することができる。なお、通い箱１は、医療機器以外の他の分野における通い箱としても好適に使用することができる。
【００１９】
以上、本考案に係る好ましい実施形態について例示したが、本考案は上述した実施形態に限定されるものではなく、本考案の要旨を逸脱しない限り任意のものとすることができることは言うまでもない。
【００２０】
例えば、上述の実施形態では、天板２の表面２１の全面に塗膜１０が積層されているが、天板２の表面２１の一部に塗膜１０が積層されていてもよい。すなわち、天板２の表面２１に塗膜１０が積層されるときには、天板２の表面２１の少なくとも一部に塗膜１０が積層されればよい。この点は、側板３の表面３１に積層されている塗膜１０についても同様である。すなわち、側板３の表面３１に塗膜１０が積層されるときには、側板３の表面３１の少なくとも一部に塗膜１０が積層されればよい。したがって、上述の実施形態では、側板３の表面３１の全面に塗膜１０が積層されているが、側板３の表面３１の一部に塗膜１０が積層されていてもよい。
【００２１】
上述の実施形態では、天板２の表面２１および側板３の表面３１にそれぞれ塗膜１０が積層されているが、これに代えて、天板２の表面２１および側板３の表面３１のうち一方にのみ塗膜１０が積層されていてもよい。また、塗膜１０は、必要に応じて、底板４の表面に積層されていてもよい。
【００２２】
通い箱１の表面のうち、剥離する必要がないシールまたはテープが貼付される場所には、塗膜１０が積層されないようにしてもよい。また、塗膜１０は、剥離する必要がないシールまたはテープの表面に積層されていてもよい。
【符号の説明】
【００２３】
１  通い箱
２  天板
２１  表面
３  側板
３１  表面
４  底板
１０  塗膜
１００Ａ  シール
１００Ｂ  シール
１０１  テープ
【図１】
0003203623.tif 000003
【図２】
0003203623.tif 000004